(57)【要約】【課題】接続されたＡＶアンプに対応した出力設定を容易に行うことができる再生装置を提供する。【解決手段】デジタル信号を再生するＤＶＤプレーヤ１において、ＤＶＤプレーヤ１に接続可能なＡＶアンプ３を識別するためのアンプ識別情報と、ＡＶアンプ３に対してデジタル信号を出力する際の設定情報と、が対応付けられたアンプ情報データテーブル１５３ａ１を記憶するＲＯＭ１５３と、ＤＶＤプレーヤ１に接続されたＡＶアンプ３のアンプ識別情報を指定するリモコン１４１と、ユーザによるリモコン１４１の操作等により指定されたアンプ識別情報に対応する設定情報（ＡＶアンプ用の設定情報）を、ＲＯＭ１５３に記憶されたアンプ情報データテーブル１５３ａ１の中から抽出して設定する設定プログラム１５３ｂ２を実行したＣＰＵ１５１と、を備えるよう構成した。【選択図】図１
2007265466.tif 000002
【特許請求の範囲】
【請求項１】
デジタル音声信号を再生する再生装置において、
当該再生装置に接続可能なアンプを識別するための識別情報と、当該アンプに対して前記デジタル音声信号を出力する際の設定情報と、が対応付けられたアンプ情報を記憶する記憶手段と、
当該再生装置に接続された表示装置に、前記記憶手段に記憶されたアンプ情報のうちの少なくとも識別情報を表示させる表示制御手段と、
前記表示制御手段により前記表示装置に表示された識別情報の中から、当該再生装置に接続されたアンプの識別情報を指定する指定手段と、
前記指定手段により指定された識別情報に対応する設定情報を、前記記憶手段に記憶されたアンプ情報の中から抽出して設定する設定手段と、
を備えることを特徴とする再生装置。
【請求項２】
デジタル信号を再生する再生装置において、
当該再生装置に接続可能なアンプを識別するための識別情報と、当該アンプに対して前記デジタル信号を出力する際の設定情報と、が対応付けられたアンプ情報を記憶する記憶手段と、
当該再生装置に接続されたアンプの識別情報を指定する指定手段と、
前記指定手段により指定された識別情報に対応する設定情報を、前記記憶手段に記憶されたアンプ情報の中から抽出して設定する設定手段と、
を備えることを特徴とする再生装置。
【請求項３】
請求項２に記載の再生装置において、
当該再生装置に接続された表示装置に、前記記憶手段に記憶されたアンプ情報のうちの少なくとも識別情報を表示させる表示制御手段を備え、
前記指定手段は、前記表示制御手段により前記表示装置に表示された識別情報の中から、当該再生装置に接続されたアンプの識別情報を指定することを特徴とする再生装置。
【請求項４】
請求項２又は３に記載の再生装置において、
当該再生装置は、前記アンプ情報を記憶するサーバ装置に、ネットワークを介して接続されており、
前記ネットワークを介して、前記サーバ装置からアンプ情報を取得する取得手段と、
前記記憶手段に記憶されたアンプ情報を、前記取得手段により取得されたアンプ情報に更新する更新手段と、
を備えることを特徴とする再生装置。
【発明の詳細な説明】
【技術分野】
【０００１】
本発明は、再生装置に関する。
【背景技術】
【０００２】
マルチチャンネルのデジタル音声信号に対応することができ、さらに、画像信号のセレクタ機能を備えたＡＶ（Audio Visual）アンプが知られている。このＡＶアンプを介して、ＤＶＤ（Digital Versatile Disk）プレーヤやＤＶＤレコーダ、ＳＴＢ（Set Top Box）などの再生装置と、スピーカ装置や表示装置などの出力装置と、を接続する場合がある。
【０００３】
例えば、ＤＶＤ（ソフトウエア）にマルチチャンネルのデジタル音声信号が記録されている場合、デジタル音声信号は、通常“Dolby Digital”という圧縮方式で圧縮されて記録されている。
ＤＶＤプレーヤ等を、直接、スピーカ機器等に接続すると、一般的には、ＤＶＤプレーヤ等は、“Dolby Digital”で圧縮されたデジタル音声信号をマルチチャンネルにデコード（展開）して、それを２チャンネルのデジタル音声信号に重ね合わせてから、スピーカ機器等に出力するようになっている。
一方、ＤＶＤプレーヤ等を、ＡＶアンプを介して、スピーカ機器等に接続すると、ＤＶＤプレーヤ等は、“Dolby Digital”で圧縮されたデジタル音声信号をそのままＡＶアンプに出力し、そして、ＡＶアンプは、その出力されたデジタル音声信号をマルチチャンネルにデコード（展開）して、それをマルチチャンネルのまま、スピーカ機器等に出力するようになっている。
すなわち、ＡＶアンプを介すると、マルチチャンネルで記録されたデジタル音声信号を、マルチチャンネルの音声で出力できる。
【０００４】
ところで、ＡＶアンプを介する場合、ユーザは、例えば、再生装置に、接続されたＡＶアンプに対応した出力設定をしたり、或いは、ＡＶアンプに、接続された再生装置に対応した出力設定をしなければならない。しかしながら、この設定は、一般のユーザにとって煩雑且つ困難なものであり、そのため、誤った出力設定がなされてしまうことが往々にしてあった。
そこで、ユーザが、表示機器（表示部）に表示された選択メニューに従って、接続された再生装置に対応した出力設定を行うことができるＡＶアンプ（ＡＶコントロールアンプ）等が提案された（例えば、特許文献１（図２）参照。）。
【０００５】
また、例えば、“設定”に関しては、ユーザ所望の再生動作を設定することができる情報再生システム（例えば、特許文献２参照。）等が提案され、また、例えば、“表示”に関しては、デジタルテレビ（ＡＶ装置）に接続された複数のＡＶ機器のうち、リモコンによる操作対象となっているＡＶ機器の機種をアイコンで表示すること等ができるデジタルテレビ（例えば、特許文献３参照。）等が提案され、また、例えば、“デジタル信号の出力”に関しては、ＳＴＢ（再生制御装置）を介して、ＤＶＤレコーダ（再生装置）がＴＶに接続されている場合、ＤＶＤレコーダがＤＶＤに記録されているコンテンツをデジタル出力するのかアナログ出力するのかを判定することができるＳＴＢ（例えば、特許文献４参照。）等が提案されている。
【０００６】
したがって、再生装置に、接続されたＡＶアンプに対応した出力設定を行う場合、特許文献１のように、表示機器に表示された選択メニューに従って行うことは可能である。
【特許文献１】特開２００３−２５７１２６号公報
【特許文献２】特開２００５−２４２６６７号公報
【特許文献３】特開２００５−３４０９６８号公報
【特許文献４】特開２００４−０３２３２２号公報
【発明の開示】
【発明が解決しようとする課題】
【０００７】
しかしながら、表示機器に表示された選択メニューに従って出力設定をするにしても、個々の設定項目が一般のユーザにとって分からないものが多く、やはりユーザ自身が出力設定を行うことは煩雑且つ困難なものであった。さらに、今後、設定項目が増加することが予測され、出力設定はユーザにとってますます煩雑且つ困難なものになる。
【０００８】
本発明の課題は、接続されたＡＶアンプに対応した出力設定を容易に行うことができる再生装置を提供することにある。
【課題を解決するための手段】
【０００９】
上記課題を解決するために、請求項１に記載の発明は、
デジタル音声信号を再生する再生装置において、
当該再生装置に接続可能なアンプを識別するための識別情報と、当該アンプに対して前記デジタル音声信号を出力する際の設定情報と、が対応付けられたアンプ情報を記憶する記憶手段と、
当該再生装置に接続された表示装置に、前記記憶手段に記憶されたアンプ情報のうちの少なくとも識別情報を表示させる表示制御手段と、
前記表示制御手段により前記表示装置に表示された識別情報の中から、当該再生装置に接続されたアンプの識別情報を指定する指定手段と、
前記指定手段により指定された識別情報に対応する設定情報を、前記記憶手段に記憶されたアンプ情報の中から抽出して設定する設定手段と、
を備えることを特徴とする。
【００１０】
請求項２に記載の発明は、
デジタル信号を再生する再生装置において、
当該再生装置に接続可能なアンプを識別するための識別情報と、当該アンプに対して前記デジタル信号を出力する際の設定情報と、が対応付けられたアンプ情報を記憶する記憶手段と、
当該再生装置に接続されたアンプの識別情報を指定する指定手段と、
前記指定手段により指定された識別情報に対応する設定情報を、前記記憶手段に記憶されたアンプ情報の中から抽出して設定する設定手段と、
を備えることを特徴とする。
【００１１】
請求項３に記載の発明は、
請求項２に記載の再生装置において、
当該再生装置に接続された表示装置に、前記記憶手段に記憶されたアンプ情報のうちの少なくとも識別情報を表示させる表示制御手段を備え、
前記指定手段は、前記表示制御手段により前記表示装置に表示された識別情報の中から、当該再生装置に接続されたアンプの識別情報を指定することを特徴とする。
【００１２】
請求項４に記載の発明は、
請求項２又は３に記載の再生装置において、
当該再生装置は、前記アンプ情報を記憶するサーバ装置に、ネットワークを介して接続されており、
前記ネットワークを介して、前記サーバ装置からアンプ情報を取得する取得手段と、
前記記憶手段に記憶されたアンプ情報を、前記取得手段により取得されたアンプ情報に更新する更新手段と、
を備えることを特徴とする。
【発明の効果】
【００１３】
請求項１に記載の発明によれば、デジタル音声信号を再生する再生装置において、記憶手段によって、当該再生装置に接続可能なアンプを識別するための識別情報と、当該アンプに対してデジタル音声信号を出力する際の設定情報と、が対応付けられたアンプ情報を記憶することができ、表示制御手段によって、当該再生装置に接続された表示装置に、記憶手段に記憶されたアンプ情報のうちの少なくとも識別情報を表示させることができ、指定手段によって、表示制御手段により表示装置に表示された識別情報の中から、当該再生装置に接続されたアンプの識別情報を指定することができ、設定手段によって、指定手段により指定された識別情報に対応する設定情報を、記憶手段に記憶されたアンプ情報の中から抽出して設定することができる。
すなわち、表示装置に表示されたアンプの識別情報の中から、ユーザが再生装置に接続されたアンプの識別情報を指定するだけで、当該アンプの設定情報を再生装置に設定することができるため、接続されたアンプに対応した出力設定を容易に行うことができる。
【００１４】
請求項２に記載の発明によれば、デジタル信号を再生する再生装置において、記憶手段によって、当該再生装置に接続可能なアンプを識別するための識別情報と、当該アンプに対してデジタル信号を出力する際の設定情報と、が対応付けられたアンプ情報を記憶することができ、指定手段によって、当該再生装置に接続されたアンプの識別情報を指定することができ、設定手段によって、指定手段により指定された識別情報に対応する設定情報を、記憶手段に記憶されたアンプ情報の中から抽出して設定することができる。
すなわち、ユーザが再生装置に接続されたアンプの識別情報を指定するだけで、当該アンプの設定情報を再生装置に設定することができるため、接続されたアンプに対応した出力設定を容易に行うことができる。
【００１５】
請求項３に記載の発明によれば、請求項２に記載の発明と同様の効果が得られることは無論のこと、表示制御手段によって、当該再生装置に接続された表示装置に、記憶手段に記憶されたアンプ情報のうちの少なくとも識別情報を表示させることができ、指定手段は、表示制御手段により表示装置に表示された識別情報の中から、当該再生装置に接続されたアンプの識別情報を指定することができる。
すなわち、表示装置に表示されたアンプの識別情報の中から、ユーザが再生装置に接続されたアンプの識別情報を指定するだけで、当該アンプの設定情報を再生装置に設定することができるため、接続されたアンプに対応した出力設定をより一層容易に行うことができる。
【００１６】
請求項４に記載の発明によれば、請求項２又は３に記載の発明と同様の効果が得られることは無論のこと、当該再生装置は、アンプ情報を記憶するサーバ装置に、ネットワークを介して接続されており、取得手段によって、ネットワークを介して、サーバ装置からアンプ情報を取得することができ、更新手段によって、記憶手段に記憶されたアンプ情報を、取得手段により取得されたアンプ情報に更新することができる。
したがって、例えば、最新のアンプを再生装置に接続しても、当該最新のアンプの設定情報を再生装置に設定することができるため、使い勝手がよい。
【発明を実施するための最良の形態】
【００１７】
以下、図を参照して、本発明にかかる再生装置の最良の形態を詳細に説明する。なお、発明の範囲は、図示例に限定されない。
本実施の形態では、再生装置としてＤＶＤプレーヤを例示して、アンプとしてＡＶアンプを例示して、説明することとする。
【００１８】
＜ＤＶＤプレーヤの構成＞
まず、ＤＶＤプレーヤ１の構成について、図１を参照して説明する。
ＤＶＤプレーヤ１は、例えば、表示装置としてのモニタ２と、スピーカ４を接続したＡＶアンプ３と、などを接続しており、例えば、ＤＶＤ１１１に記録されたデジタル信号（デジタル画像信号やデジタル音声信号）を再生して、映像信号をモニタ２に出力するとともに、デジタル音声信号をＡＶアンプ３を介してスピーカ４に出力する。
また、ＤＶＤプレーヤ１は、例えば、アンプ情報としてのアンプ情報データテーブル１４３ａ１を記憶するサーバ装置５に、ネットワークＮを介して接続されている。
【００１９】
具体的には、ＤＶＤプレーヤ１は、例えば、読取部１１と、モニタ２やＡＶアンプ３などの外部機器と接続するＩ／Ｆ部１２と、ネットワークＮと接続する通信制御部１３と、リモコン受信部１４と、制御部１５と、などを備えて構成される。各部は、バス１０によって接続されている。
また、ＤＶＤプレーヤ１は、例えば、リモコン受信部１４と通信可能な、ＤＶＤプレーヤ１用のリモートコントローラ１４１（以下、「リモコン１４１」という。）を備えている。
【００２０】
読取部１１は、例えば、制御部１５から入力される制御信号に従って、ＤＶＤ１１１に記録されたデジタル信号を読み取って、所定の処理を施して、Ｉ／Ｆ部１２に出力する。
具体的には、読取部１１は、例えば、ＤＶＤ１１１に記録されたデジタル信号を読み取って、当該デジタル信号をデジタル画像信号とデジタル音声信号とに分離する。そして、読取部１１は、例えば、当該デジタル画像信号に対してデコード等の処理を施して、映像信号をＩ／Ｆ部１２に出力するとともに、当該デジタル音声信号に対してＲＡＭ１５２に記憶されたＡＶアンプ３用の設定情報（後述）に応じた処理を施して、デジタル音声信号をＩ／Ｆ部１２に出力する。
【００２１】
Ｉ／Ｆ部１２は、例えば、モニタ２やＡＶアンプ３などの外部機器との間で各種情報を入出力するためのインターフェイスである。
具体的には、Ｉ／Ｆ部１２は、例えば、モニタ２と接続する映像出力端子１２１と、ＡＶアンプ３と接続する音声出力端子１２２と、などを有しており、読取部１１から出力された映像信号を、映像出力端子１２１を介して、モニタ２に出力するとともに、読取部１１から出力されたデジタル音声信号を、音声出力端子１２２を介して、ＡＶアンプ３に出力する。
【００２２】
通信制御部１４は、例えば、ネットワークＮ上のサーバ装置５等の各種機器と双方向通信を行って、当該各種機器との間で各種情報の送受信を行う。
【００２３】
ネットワークＮは、例えば、インターネット、ＬＡＮ（Local Area Network）、ＷＡＮ（Wide Area Network）などの通信ネットワークであり、電話回線網、ＩＳＤＮ（Integrated Services Digital Network）回線網、広域帯通信回線網、専用線、移動体通信網、通信衛星回線、ＣＡＴＶ（Community Antenna TeleVision）回線網、光通信回線、無線通信回線などの各種通信回線と、それらを接続するインターネットサービスプロバイダを含む。
【００２４】
リモコン受信部１４は、例えば、リモコン１４１から送信された各種信号を受信して、当該各種信号に基づく情報を、制御部１５に出力する。
【００２５】
リモコン１４１は、例えば、ユーザにより操作され、当該操作に応じた信号をリモコン受信部１４に送信する。
リモコン１４１は、例えば、「上/下」キーや、「決定」キー、「更新」キーなどを有している。
具体的には、リモコン１４１は、例えば、指定手段として、ユーザが、ＤＶＤプレーヤ１に接続されたＡＶアンプ３の識別情報としてのアンプ識別情報（後述）を指定する際に使用される。
より具体的には、リモコン１４１は、例えば、ユーザが、制御部１５の表示制御プログラム１５３ｂ１を実行したＣＰＵ１５１（後述）によりモニタ２に表示されたアンプ識別情報（後述）の中から、ＤＶＤプレーヤ１に接続されたＡＶアンプ３のアンプ識別情報（後述）を指定する際に使用される。
【００２６】
制御部１５は、例えば、ＣＰＵ（Central Processing Unit）１５１と、ＲＡＭ（Random Access Memory）１５２と、ＲＯＭ（Read Only Memory）１５３と、などを備えている。
【００２７】
ＣＰＵ１５１は、例えば、ＲＯＭ１５３に記憶されたＤＶＤプレーヤ１用の各種処理プログラムに従って各種の制御動作を行う。
【００２８】
ＲＡＭ１５２は、例えば、ＣＰＵ１５１によって実行される処理プログラムなどを展開するためのプログラム格納領域や、入力データや上記処理プログラムが実行される際に生じる処理結果などを格納するデータ格納領域などを備える。
具体的には、ＲＡＭ１５２には、例えば、設定プログラム１５３ｂ２を実行したＣＰＵ１５１（後述）によりＡＶアンプ３用の設定情報（後述）が記憶されて設定されるようになっている。
【００２９】
ＲＯＭ１５３は、例えば、ＤＶＤプレーヤ１で実行可能なシステムプログラム、当該システムプログラムで実行可能な各種処理プログラム、これら各種処理プログラムを実行する際に使用されるデータ、ＣＰＵ１５１によって演算処理された処理結果のデータなどを記憶する。なお、プログラムは、コンピュータが読み取り可能なプログラムコードの形でＲＯＭ１５３に記憶されている。
具体的には、ＲＯＭ１５３は、例えば、記憶手段として、アンプ情報データテーブル１５３ａ１を記憶している。
【００３０】
アンプ情報データテーブル１５３ａ１には、例えば、ＤＶＤプレーヤ１に接続可能なＡＶアンプ３を識別するためのアンプ識別情報と、ＡＶアンプ３に対してデジタル音声信号を出力する際の設定情報と、などが対応付けられている。
【００３１】
ここで、アンプ識別情報は、例えば、ＤＶＤプレーヤ１に接続可能なＡＶアンプ３のメーカ名や機器名などに関する情報である。
【００３２】
また、設定情報は、例えば、ＤＶＤプレーヤ１に接続可能なＡＶアンプ３の機能（例えば、ＡＶアンプ３のデコード方式等）に対応したデジタル音声信号のフォーマット等に関する情報である。
具体的には、デジタル音声信号のフォーマットには、例えば、PCM（Pulse Code Modulation）96kHz、Dolby Digital、DTS（Digital Theater Systems）、AAC（Advanced Audio Coding）、MPEG（Moving Picture Experts Group）、MP3（MPEG Audio Layer-3）、などがある。
【００３３】
また、ＲＯＭ１５３は、例えば、表示制御プログラム１５３ｂ１と、設定プログラム１５３ｂ２と、取得・更新プログラム１５３ｂ３と、などを記憶している。
【００３４】
表示制御プログラム１５３ｂ１は、例えば、ＤＶＤプレーヤ１に接続されたモニタ２に、ＲＯＭ１５３に記憶されたアンプ情報データテーブル１５３ａ１のうちの少なくともアンプ識別情報を表示させる機能を、ＣＰＵ１５１に実現させる。
具体的には、ＣＰＵ１５１は、モニタ２に、例えば、図２に示すような、デジタル音声出力設定画面Ａを表示させる。デジタル音声出力設定画面Ａには、例えば、アンプ識別情報であるＡＶアンプ３のメーカ名や機器名などが表示されており、デジタル音声出力設定画面Ａにおいては、例えば、ユーザによるリモコン１４１の操作等によって、当該表示されたアンプ識別情報の中から、ＤＶＤプレーヤ１に接続されたＡＶアンプ３のアンプ識別情報を選択して指定できるようになっている。例えば、図２のデジタル音声出力設定画面Ａでは、アンプ識別情報として、ＡＶアンプ３のメーカ名「Funai」、ＡＶアンプ３の機器名「FAV-XXXXX2」が選択されている。
ＣＰＵ１５１は、この表示制御プログラム１５３ｂ１を実行することによって、表示制御手段として機能する。
【００３５】
設定プログラム１５３ｂ２は、例えば、ユーザによりリモコン１４１の操作等により指定されたアンプ識別情報に対応する設定情報を、ＲＯＭ１５３に記憶されたアンプ情報データテーブル１５３ａ１の中から抽出して、ＲＡＭ１５２に記憶させて設定する機能を、ＣＰＵ１５１に実現させる。
すなわち、ＣＰＵ１５１は、例えば、ＤＶＤプレーヤ１に接続されたＡＶアンプ３用の設定情報を、ＲＡＭ１５２に記憶させて設定する。そして、ＲＡＭ１５２にＡＶアンプ３用の設定情報が設定されると、ＤＶＤプレーヤ１（ＣＰＵ１５１）は、当該ＡＶアンプ３用の設定情報に応じたデジタル音声信号を、ＡＶアンプ３に対して出力できるようになる。
ＣＰＵ１５１は、この設定プログラム１５３ｂ２を実行することによって、設定手段として機能する。
【００３６】
取得・更新プログラム１５３ｂ３は、例えば、ネットワークＮを介して、サーバ装置５からアンプ情報データテーブル１５３ａ１を取得して、ＲＯＭ１５３に記憶されたアンプ情報データテーブル１５３ａ１を、当該取得されたアンプ情報データテーブル１５３ａ１に更新する機能を、ＣＰＵ１５１に実現させる。
具体的には、ＣＰＵ１５１は、例えば、定期的に、或いは、ユーザによるリモコン１４１の操作等に従って、取得・更新プログラム１５３ｂ３を実行して、ＲＯＭ１５３に記憶されたアンプ情報データテーブル１５３ａ１を更新する。
ＣＰＵ１５１は、この取得・更新プログラム１５３ｂ３を実行することによって、取得手段及び更新手段として機能する。
【００３７】
モニタ２は、例えば、液晶表示機器等であり、例えば、ＤＶＤプレーヤ１のＩ／Ｆ部１２が有する映像出力端子１２１から出力された映像信号に基づく画像を出力して表示する。
また、モニタ２は、例えば、ＤＶＤプレーヤ１の制御部１５（具体的には、表示制御プログラム１５３ｂ１を実行したＣＰＵ１５１）から入力される所定の表示信号に従って、所与の表示処理を行う。
【００３８】
ＡＶアンプ３は、例えば、ＤＶＤプレーヤ１のＩ／Ｆ部１２が有する音声出力端子１２２から出力されたデジタル音声信号に、デコード等の処理を施した後、増幅して、スピーカ４に出力する。
ここで、ＤＶＤプレーヤ１から出力されたデジタル音声信号がマルチチャンネルの場合には、ＡＶアンプ３は、例えば、当該デジタル音声信号をマルチチャンネルにデコード等し、そして、当該デジタル音声信号をマルチチャンネルのまま増幅してスピーカ４に出力する。
【００３９】
スピーカ４は、例えば、マルチチャンネル方式（例えば、５．１チャンネル方式等）の音声出力システムに対応したスピーカ機器等であり、例えば、ＡＶアンプ３から出力されたデジタル音声信号に基づく音声を出力する。
【００４０】
サーバ装置５０は、例えば、最新のアンプ情報データテーブル１４３ａ１を記憶している。
【００４１】
＜デジタル出力設定処理＞
次に、ＤＶＤプレーヤ１によるデジタル信号の出力設定に関する処理について、図３のフローチャートを参照して説明する。
【００４２】
まず、ユーザによるリモコン１４１の操作等により、デジタル音声出力設定画面Ａをモニタ２に表示するよう指示されると（ステップＳ１）、ＣＰＵ１５１は、表示制御プログラム１５３ｂ１を実行して、デジタル音声出力設定画面Ａ（例えば、図２）をモニタ２に表示する（ステップＳ２）。
【００４３】
次いで、ユーザによるリモコン１４１の操作等により、デジタル音声出力設定画面Ａにおいて、アンプ識別情報（ＡＶアンプ３のメーカ名や機器名など）が指定されたか否かを判断する（ステップＳ３）。
【００４４】
ステップＳ３で、アンプ識別情報が指定されたと判断すると（ステップＳ３；Ｙｅｓ）、ＣＰＵ１５１は、設定プログラム１５３ｂ２を実行して、当該指定されたアンプ識別情報に対応する設定情報（ＡＶアンプ３用の設定情報）を、ＲＯＭ１５３に記憶されたアンプ情報データテーブル１５３ａ１の中から抽出して（ステップＳ４）、当該抽出したＡＶアンプ３用の設定情報を、ＲＡＭ１５２に記憶させて設定し（ステップＳ５）、本処理を終了する。
【００４５】
一方、ステップＳ３で、アンプ識別情報が指定されていないと判断すると（ステップＳ３；Ｎｏ）、ＣＰＵ１５１は、例えば、ユーザによってリモコン１４１の「更新」キーが押下されたか否かを判断する（ステップＳ６）。
【００４６】
ステップＳ６で、リモコン１４１の「更新」キーが押下されていないと判断すると（ステップＳ６；Ｎｏ）、ＣＰＵ１５１は、ステップＳ３以降の処理を繰り返して行う。
【００４７】
一方、ステップＳ６で、リモコン１４１の「更新」キーが押下されたと判断すると（ステップＳ６；Ｙｅｓ）、ＣＰＵ１５１は、取得・更新プログラム１５３ｂ３を実行して、ネットワークＮを介して、サーバ装置５からアンプ情報データテーブル１５３ａ１を取得して（ステップＳ７）、ＲＯＭ１５３に記憶されたアンプ情報データテーブル１５３ａ１を、当該取得したアンプ情報データテーブル１５３ａ１に更新し（ステップＳ８）、ステップＳ２以降の処理を繰り返して行う。
【００４８】
以上説明した本発明のＤＶＤプレーヤ１によれば、ＲＯＭ１５３によって、ＤＶＤプレーヤ１に接続可能なＡＶアンプ３を識別するためのアンプ識別情報と、ＡＶアンプ３に対してデジタル音声信号を出力する際の設定情報と、が対応付けられたアンプ情報データテーブル１５３ｂ１を記憶することができ、ユーザによるリモコン１４１の操作等によって、ＤＶＤプレーヤ１に接続されたＡＶアンプ３のアンプ識別情報を指定することができ、設定プログラム１５３ｂ２を実行したＣＰＵ１５１によって、ユーザによるリモコン１４１の操作等により指定されたアンプ識別情報に対応する設定情報（ＡＶアンプ３用の設定情報）を、ＲＯＭ１５３に記憶されたアンプ情報データテーブル１５３ａ１の中から抽出して設定することができる。
すなわち、ユーザがＤＶＤプレーヤ１に接続されたＡＶアンプ３のアンプ識別情報を指定するだけで、ＡＶアンプ３用の設定情報をＤＶＤプレーヤ１に設定することができるため、接続されたＡＶアンプ３に対応した出力設定を容易に行うことができる。
【００４９】
また、表示制御プログラム１５３ｂ１を実行したＣＰＵ１５１によって、ＤＶＤプレーヤ１に接続されたモニタ２に、ＲＯＭ１５３に記憶されたアンプ情報データテーブル１５３ａ１のうちの少なくともアンプ識別情報を表示させることができ、ユーザによるリモコン１４１の操作等によって、表示制御プログラム１５３ｂ１を実行したＣＰＵ１５１によりモニタ２に表示されたアンプ識別情報の中から、ＤＶＤに接続されたＡＶアンプ３のアンプ識別情報を指定することができる。
すなわち、モニタ２に表示されたＡＶアンプ３のアンプ識別情報の中から、ユーザがＤＶＤプレーヤ１に接続されたＡＶアンプ３のアンプ識別情報を指定するだけで、ＡＶアンプ３用の設定情報をＤＶＤプレーヤ１に設定することができるため、接続されたＡＶアンプ３に対応した出力設定をより一層容易に行うことができる。
【００５０】
また、ＤＶＤプレーヤ１は、アンプ情報データテーブル１５３ａ１を記憶するサーバ装置５に、ネットワークＮを介して接続されており、取得・更新プログラム１５３ｂ３を実行したＣＰＵ１５１によって、ネットワークＮを介して、サーバ装置５からアンプ情報データテーブル１５３ａ１を取得して、ＲＯＭ１５３に記憶されたアンプ情報データテーブル１５３ａ１を、当該取得されたアンプ情報データテーブル１５３ａ１に更新することができる。
したがって、例えば、最新のＡＶアンプ３をＤＶＤプレーヤ１に接続しても、当該最新のＡＶアンプ３用の設定情報をＤＶＤプレーヤ１に設定することができるため、使い勝手がよい。
【００５１】
なお、本発明は、上記した実施の形態のものに限るものではなく、その要旨を逸脱しない範囲で適宜変更可能である。
再生装置は、ＤＶＤプレーヤ１の限りではなく、デジタル信号を再生して、出力することができる装置であれば任意である。
【００５２】
スピーカ４を、ＡＶアンプ３を介してＤＶＤプレーヤ１に接続するようにしたが、例えば、モニタ２も、ＡＶアンプ３を介してＤＶＤプレーヤ１に接続するようにしてもよい。この場合、アンプ情報データテーブル１５３ａ１には、例えば、アンプ識別情報と、ＡＶアンプ３に対してデジタル信号（デジタル画像信号とデジタル音声信号）を出力する際の設定情報と、などを対応付けておく必要がある。
また、スピーカ４とモニタ２を備えたテレビジョン装置を、ＡＶアンプ３を介して、ＤＶＤプレーヤ１に接続するようにしてもよい。
【００５３】
デジタル音声出力設定画面Ａにおいてアンプ識別情報を指定する際、複数のアンプ識別情報の中から該当する一のアンプ識別情報を選択して指定するようにしたが、例えば、リモコン１４１の操作等によって文字や数字の入力が可能な構成にしておき、デジタル音声出力設定画面Ａにおいて、直接アンプ識別情報を入力して指定するようにしてもよい。
【図面の簡単な説明】
【００５４】
【図１】本発明にかかる再生装置（ＤＶＤプレーヤ）の機能的構成を示す図である。
【図２】デジタル音声出力設定画面を示す図である。
【図３】ＤＶＤプレーヤによるデジタル信号の出力設定に関する処理について説明するためのフローチャートである。
【符号の説明】
【００５５】
１  ＤＶＤプレーヤ（再生装置）
１４１  リモコン（指定手段）
１５１  ＣＰＵ（表示制御手段、設定手段、取得手段、更新手段）
１５３  ＲＯＭ（記憶手段）
１５３ａ１  アンプ情報データテーブル（アンプ情報）
１５３ｂ１  表示制御プログラム（表示制御手段）
１５３ｂ２  設定プログラム（設定手段）
１５３ｂ３  取得・更新プログラム（取得手段、更新手段）
２  モニタ（表示装置）
３  ＡＶアンプ（アンプ）
５  サーバ装置
Ｎ  ネットワーク
【図１】
2007265466.tif 000003
【図２】
2007265466.tif 000004
【図３】
2007265466.tif 000005